(57)【要約】【課題】調理室に設置された台状設備の上面の辺縁に沿う隙間を簡便に封止することができ、しかも着脱も自在に行うことができる隙間封止部材を提供する。【解決手段】並列設置されたレンジ台２の上面２ａと調理台４の上面４ａの高さは略同一であり、両者の間には隙間Ｓがあいている。隙間Ｓを封止するために、レンジ台上面２ａと調理台上面４ａとに跨がるように隙間封止部材１０が装着されている。隙間封止部材１０は、脚部１２と、封止片１４とを有している。脚部１２は封止片１４の幅方向の中央付近に連なっており、これにより、該隙間封止部材１０はＴ字形断面形状となっている。隙間封止部材１０は、隙間Ｓに上方から脚部１２を差し込み、レンジ台上面２ａの辺縁と調理台上面４ａの辺縁とに跨って封止片１４を重ねるようにして装着される。隙間封止部材１０を取り外すには、これを持ち上げればよい。【選択図】　図１
2004016432.tif 000002
【特許請求の範囲】
【請求項１】
調理室に設置された台状設備の上面の辺縁に沿う隙間を封止するための隙間封止部材であって、
該隙間に上方から差し込まれる脚部と、
該脚部に連なっており、前記台状設備の上面の辺縁に重なって該隙間を封止する封止片と
を有することを特徴とする隙間封止部材。
【請求項２】
請求項１において、前記脚部は前記封止片の幅方向中央に連なっており、これにより該隙間封止部材はＴ字形断面形状を有していることを特徴とする隙間封止部材。
【請求項３】
請求項１において、前記脚部は前記封止片の幅方向の一側辺に連なっており、これにより該隙間封止部材はＬ字形断面形状を有していることを特徴とする隙間封止部材。
【発明の詳細な説明】
【０００１】
【発明の属する技術分野】
本発明は、台所などの調理室に設置されたレンジやカウンター等に沿う隙間を封止するための隙間封止部材に関するものである。
【０００２】
【従来の技術】
台所などの調理室には、レンジやカウンターなどの台状設備が設置されている。この台状設備が並列設置された場合、両者の間に隙間があくことが多い。この隙間には、水や料理用の各種液体のほか、台所用洗剤、微小な固形物、あるいは塵などの各種異物が上方から入り込み易い。
【０００３】
そこで、従来、メタルテープなどのテープを貼ってこの隙間を塞ぐことがある。
【０００４】
【発明が解決しようとする課題】
このようにメタルテープ等のテープを貼って隙間を塞いだ場合、該テープに汚れが固着したときにはテープを貼り替える必要があり、手間がかかる。また、貼り替えのためにテープを剥した際に、テープ裏面の粘着剤の一部が台状設備上面に付着残留することがあり、このような場合にはベンジン等で粘着剤を拭き取ったりせねばならず、不便である。
【０００５】
さらに、テープを台状設備の上面の辺縁部に貼った場合、テープの縁にテープ裏面の粘着剤層がはみ出し、この粘着剤層に塵が付着して美観が損なわれることがある。
【０００６】
本発明は、上記従来の問題点を解決し、調理室に設置された台状設備の上面の辺縁に沿う隙間を簡便に封止することができ、しかも着脱も自在に行うことができる隙間封止部材を提供することを目的とする。
【０００７】
【課題を解決するための手段】
本発明の隙間封止部材は、調理室に設置された台状設備の上面の辺縁に沿う隙間を封止するための隙間封止部材であって、該隙間に上方から差し込まれる脚部と、該脚部に連なっており、前記台状設備の上面の辺縁に重なって該隙間を封止する封止片とを有することを特徴とするものである。
【０００８】
かかる本発明の隙間封止部材は、その脚部を台状設備の上面の辺縁に沿う隙間に上方から差し込み、封止片を台状設備の辺縁の上面に重ね合わせるようにして使用される。
【０００９】
このようにして隙間封止部材が装着されていると、水や、油、醤油、ソース等の各種の料理用の液体、台所用洗剤、食材、調理屑その他の各種固形物、半固形物、あるいは塵などの各種異物が掛かったり、あるいは落下してきた場合、隙間封止部材によってこれらの隙間への侵入が防止される。
【００１０】
この隙間封止部材は、上方から脚部を隙間に差し込むようにして隙間に装着されるものであり、装着が極めて簡単である。また、取り外しに際しては、これを持ち上げるだけでよく、取り外しも簡単である。従って、この隙間封止部材に汚れが付着したときには、該隙間封止部材を取り外して水や湯あるいは洗剤にて洗って十分に清浄にして再装着することができ、常に清浄、清潔に保つことができる。
【００１１】
加えて、この隙間封止部材には粘着剤層が設けられていないので、粘着剤層が縁にはみ出し該粘着剤層に塵が付着することもない。また、隙間封止部材を取り外したときに粘着剤層が付着残留することがないから、隙間封止部材の再装着に際しては、台状設備の隙間封止部材装着予定領域を必要に応じ簡単に拭き掃除すれば足り、作業は極めて簡便である。
【００１２】
この隙間封止部材は、隙間を塞ぐように装着された場合、その脚部が隙間に入り込んでいる。そのため、この隙間封止部材に手や調理器具等が当っても隙間封止部材がずれ動くことがなく、装着姿勢が安定している。
【００１３】
【発明の実施の形態】
以下、図面を参照して実施の形態について説明する。
【００１４】
第１図は本発明の実施の形態に係る隙間封止部材の隙間への装着方法を示す分解斜視図であり、第２図及び第３図は、それぞれ、この隙間封止部材の隙間への装着状況を示す斜視図及び立面図、第４図は第２図のＩＶ−ＩＶ線断面図である。
【００１５】
調理室壁面１に沿ってレンジ台２と調理台４の２台の台状設備が並列設置されている。該レンジ台２の上面２ａにはコンロ部２ｂが設けられており、該上面２ａの奥側（調理室壁面１側）の辺縁からは該調理室壁面１に沿うようにバックガード２ｃが立設されている。この実施の形態では、レンジ台２の上面２ａと調理台４の上面４ａの高さは略同一である。レンジ台２と調理台４との間には若干（例えば３〜１０ｍｍ程度）の隙間Ｓがあいている。この隙間Ｓを封止するために、レンジ台２の上面２ａと調理台４の上面４ａとに跨がるように略々棒状の隙間封止部材１０が装着されている。
【００１６】
この隙間封止部材１０は、該隙間Ｓに上方から差し込まれる脚部１２と、該脚部１２の上端部に連なる封止片１４とを有している。この実施の形態では、該脚部１２は封止片１４の幅方向（長手方向と直交方向）の中央付近に連なっており、これにより、該隙間封止部材１０の大部分はＴ字形断面形状となっている。
【００１７】
この隙間封止部材１０の長手方向の一端側にあっては、封止片１４の一側辺に沿って切欠部１６が設けられており、この部分にあっては、隙間封止部材１０は、脚部１２と、封止片１４の半分とからなるＬ字形断面形状となっている。
【００１８】
この隙間封止部材１０は、金属、合成樹脂、ゴムなど各種素材で構成することができる。もちろん、表面に塗装が施されてもよく、シボ加工などにより表面模様付けが施されてもよい。隙間封止部材１０の色に制限はなく、白色、黒色、グレー、その他各種有彩色としうる。
【００１９】
この隙間封止部材１０は、隣接するレンジ台２と調理台４との間の隙間Ｓに上方から脚部１２を差し込み、レンジ台上面２ａの辺縁と調理台上面４ａの辺縁とに跨って封止片１４を重ねるようにして装着される。なお、前記切欠部１６はレンジ台２のバックガード２ｃの側端部と係合する。
【００２０】
このようにして隙間封止部材１０が隙間Ｓに装着されていると、水や、油、醤油、ソース等の各種の料理用の液体、台所用洗剤、食材、調理屑その他の各種固形物、半固形物、あるいは塵などの各種異物が掛かったり、あるいは落下してきた場合、隙間封止部材１０によってこれらの隙間Ｓへの侵入が防止される。
【００２１】
なお、この実施の形態では、切欠部１６を設けているので、隙間封止部材１０は調理台４の最奥部に達するように配置され、隙間Ｓの全体を封止している。従って、調理台４の最奥部付近に水等が掛かっても、水等の隙間Ｓへの侵入が防止される。
【００２２】
この隙間封止部材１０は、その脚部１２が隙間Ｓ内に差し込まれているので、装着姿勢が安定している。即ち、隙間封止部材１０に手や俎板、鍋等が当っても、隙間封止部材１０が殆どずれ動かないので、隙間Ｓが露見することがない。
【００２３】
この隙間封止部材１０は、上方から脚部１２を隙間Ｓに差し込むようにして隙間Ｓに装着されるものであり、装着が極めて簡単である。また、取り外しに際しては、これを持ち上げるだけでよく、取り外しも簡単である。従って、この隙間封止部材１０に汚れが付着したときには、該隙間封止部材１０を取り外して水や湯あるいは洗剤にて洗って十分に清浄にして再装着することができ、常に清浄、清潔に保つことができる。
【００２４】
加えて、この隙間封止部材１０はレンジ台２及び調理台４に貼着されていないので、従来のメタルテープなどのテープのように粘着剤層がはみ出して該粘着剤層に塵が付着することがなく、美観も良好に保たれる。また、隙間封止部材１０を取り外したときに粘着剤層が付着残留することがないから、隙間封止部材１０の再装着に際しては、レンジ台上面２ａ及び調理台上面４ａの辺縁を必要に応じ簡単に拭き掃除すれば足り、作業は極めて簡便である。
【００２５】
第５図（ａ）は本発明の別の実施の形態に係る隙間封止部材の長手方向と直交方向の断面図であり、第５図（ｂ）は、第５図（ａ）の隙間封止部材の装着状況の説明図である。
【００２６】
この隙間封止部材１０Ａも、前記隙間封止部材１０と同様に脚部１２と封止片１４Ａとを有した略Ｔ字形断面形状のものである。この隙間封止部材１０Ａにあっては、長手方向と直交方向の断面において、封止片１４Ａの上面は上方に向って凸となる弧状となっている。また、この第５図の隙間封止部材１０Ａでは、封止片１４Ａの下面は凹に湾曲している。
【００２７】
このように封止片１４Ａの下面が凹に湾曲していると、第５図（ｂ）のようにレンジ台２の上面２ａと調理台４の上面４ａとの高さが異なり、両者の間に若干の段差があっても、封止片１４Ａの下面の端部（幅方向の先端縁）１４ａをレンジ台上面２ａ及び調理台上面４ａの双方に水密的に密着させることができる。もちろん、この隙間封止部材１０Ａは第３，４図の如くレンジ台上面２ａと調理台上面４ａとの高さが略同一である場合にも使用できることは明らかである。
【００２８】
第６図はさらに別の実施の形態に係る隙間封止部材１０Ｂの長手方向と直交方向の断面図である。
【００２９】
この隙間封止部材１０Ｂも脚部１２と封止片１４Ｂとを有した略Ｔ字形断面形状である。その長手方向と直交方向の断面において、封止片１４Ｂの上面は上方に向って凸に湾曲しているが、平坦であってもよい。この実施の形態では、封止片１４Ｂの下面には複数条のひだ状部２０が隙間封止部材１０Ｂの長手方向に延設されている。
【００３０】
なお、封止片１４Ｂの側端縁１４ｂと各ひだ状部２０の下端とは略一直線上に位置しているが、各ひだ状部２０の下端は封止片１４Ｂの両端縁１４ｂ，１４ｂを結ぶ線分よりも上位に配置されてもよい。
【００３１】
この隙間封止部材１０Ｂは、前記第３，４図あるいは第５図（ｂ）のように隙間Ｓに装着された場合、封止片１４Ｂの側端縁１４ｂとひだ状部２０の下端とがレンジ台上面２ａ及び調理台上面４ａに当接するようになり、水等の隙間Ｓへの侵入がより確実に防止されるようになる。
【００３２】
なお、この第６図の隙間封止部材１０Ｂは若干の弾力性を有した合成樹脂又はゴム製とすることが好ましいが、金属製であっても構わない。また、この実施の形態ではひだ状部２０は隙間封止部材１０Ｂと同一材料にて一体に形成されているが、ひだ状部２０のみ軟質のゴム又は合成樹脂製としてもよい。
【００３３】
第７図は本発明のさらに異なる実施の形態に係る隙間封止部材１０Ｃの長手方向と直交方向の断面図である。
【００３４】
この隙間封止部材１０Ｃも、脚部１２Ｃと封止片１４とを有した略Ｔ字形断面形状のものであり、封止片１４は前記隙間封止部材１０と略同一形状である。この実施の形態では、脚部１２Ｃの両側面に隙間封止部材１０Ｃの長手方向に延在する１条又は複数条（この実施の形態では４条）の凸部２２が設けられている。なお、この隙間封止部材１０Ｃは全体として弾力性を有した合成樹脂又はゴム製とされているが、凸部２２又は脚部１２Ｃのみを弾力性を有した合成樹脂又はゴム製としてもよい。
【００３５】
この隙間封止部材１０Ｃは、脚部１２Ｃを脚部１２Ｃの厚さ（脚部１２Ｃの一方の面の凸部２２の先端から他方の面の凸部２２の先端までの距離）ｔよりも狭い隙間Ｓに差し込むことができる。この場合、脚部１２Ｃは、凸部２２を弾性的に変形させながら隙間Ｓに押し込むようにして差し込まれる。
【００３６】
もちろん、この脚部１２Ｃは厚さｔ以上の大きな隙間Ｓにも差し込まれ得ることは明らかである。このように大きな隙間Ｓに差し込まれた場合、脚部１２Ｃに凸部２２を設けているので、脚部１２Ｃが隙間Ｓ内で幅方向に動きにくいものとなり、隙間Ｓに装着した後の隙間封止部材１０Ｃの状態が安定したものとなる。
【００３７】
なお、同様の凸部２２は前記及び後述の各実施の形態のいずれの脚部にも設けることが可能である。
【００３８】
上記実施の形態では、各隙間封止部材は全体又はほぼ全体がＴ字形断面形状となっているが、本発明の隙間封止部材は第８図の如く長手方向と直交方向の断面形状がＬ字形であってもよい。
【００３９】
この第８図の隙間封止部材１０Ｄは、脚部１２Ｄと封止片１４ＤとがＬ字形に交叉している。なお、封止片１４Ｄの上面は上に向って凸に湾曲している。封止片１４Ｄの下面は平坦面となっているが、第５図のように凹に湾曲してもよく、第６図のようにひだ状部が設けられてもよい。
【００４０】
この隙間封止部材１０Ｄは、その脚部１２Ｄを隙間Ｓに上方から差し込み、封止片１４Ｄの下面をレンジ台上面２ａ又は調理台上面４ａの辺縁に係止させるようにして隙間封止に用いられる。
【００４１】
なお、第８図（ａ）では隙間封止部材１０Ｄは調理台４の側面に当接し、第８図（ｂ）では隙間封止部材１０Ｄは調理室の壁面６に当接している。壁面６の代りに家具等の側面であってもよい。
【００４２】
上記実施の形態はいずれも本発明の一例であり、本発明は図示以外の形態をもとりうる。本発明はレンジ台や調理台以外の台状設備の隙間封止に用いることもできる。
【００４３】
【発明の効果】
以上の通り、本発明の隙間封止部材は、台状設備の隙間を簡便に封止することができると共に、着脱も自在であり、極めて便利である。
【図面の簡単な説明】
【図１】本発明の実施の形態に係る隙間封止部材の取付方法を示す分解斜視図である。
【図２】図１の隙間封止部材の設置状況を示す斜視図である。
【図３】図１の隙間封止部材の設置状況を示す立面図である。
【図４】図２のＩＶ−ＩＶ線に沿う断面図である。
【図５】本発明の別の実施の形態に係る隙間封止部材の長手方向と直交方向の断面図である。
【図６】本発明のさらに別の実施の形態に係る隙間封止部材の長手方向と直交方向の断面図である。
【図７】本発明のさらに異なる実施の形態に係る隙間封止部材の長手方向と直交方向の断面図である。
【図８】本発明の他の実施の形態に係る隙間封止部材の装着状況を示す立面図である。
【符号の説明】
１，６　調理室壁面
２　レンジ台
２ａ　レンジ台上面
４　調理台
４ａ　調理台上面
１０，１０Ａ，１０Ｂ，１０Ｃ，１０Ｄ　隙間封止部材
１２，１２Ｃ，１２Ｄ　脚部
１４，１４Ａ，１４Ｂ，１４Ｄ　封止片
２０　ひだ状部
２２　凸部
Ｓ　隙間
【図１】
2004016432.tif 000003
【図２】
2004016432.tif 000004
【図３】
2004016432.tif 000005
【図４】
2004016432.tif 000006
【図５】
2004016432.tif 000007
【図６】
2004016432.tif 000008
【図７】
2004016432.tif 000009
【図８】
2004016432.tif 000010